(57)【要約】【課題】  この発明は、生体に対する包帯・ストッキングなどの拘束圧や、寝具・椅子などの体圧を簡便に連続計測できる方法である。【解決手段】  袋１を備えた受圧部、目盛板４と透明中空管５からなる計測部、水１０を入れた透明容器６の３点で構成されている。受圧部の非伸縮性の袋１に繋がった潰れ難いチューブ２を介し接続された計測部の透明中空管５に添え着けた目盛板４を、透明容器６の水中に入れると同時に、透明中空管５内に浸入した水容積分の空気が袋１側に送り込まれる。その袋１を計測しようとする生体１４とストッキング１３との接触間に位置させ、接触間で袋１が圧迫されると共に、内部の空気がチューブ２を介し、透明中空管５内の水面を押し下げ、その水面Ｋの位置を目盛板４で読み取り水深Ｊを計測する接触圧計測法である。【選択図】図４
2007248441.tif 000002
【特許請求の範囲】
【請求項１】
（イ）受圧部として、伸縮が少なく柔軟なフィルムからなる袋１に、潰れないチューブ２を備える。
（ロ）計測部として、目盛板４に透明中空管５を添え着け、その透明中空管５の端に接続部３を備える。
（ハ）深い透明容器６に水１０を入れる。
以上の如く構成された連続接触圧簡易計測法。
【請求項２】
受圧部の潰れないチューブ２と計測部の透明中空管５が直結した請求項１の連続接触圧簡易計測法
【請求項３】
受圧部の袋１にカバーフィルム９を備えた請求項１〜２の連続接触圧簡易計測法。
【請求項４】
目盛板４の目盛を水位が変わる位置を基準に目盛を刻んだ請求項１〜２の連続接触圧簡易計測法。
【請求項５】
目盛板４の目盛を圧力単位で刻んだ請求項１〜２の連続接触圧簡易計測法。
【請求項６】
目盛板４の目盛が透明中空管５を挟んで、または隣接して、複数の単位を刻んだ請求項１〜２の連続接触圧簡易計測法。
【請求項７】
目盛板４の透明中空管５の先端部が、透明中空管５より内部容積が大きい中空間１１からなる請求項１〜２の連続接触圧簡易計測法。
【請求項８】
目盛板４の透明中空管５の中間部、または端に透明中空管５より大きい容積の中空部１２を設けた請求項１〜２の連続接触圧簡易計測法。
【発明の詳細な説明】
【発明の詳細な説明】
【産業上の利用分野】
【０００１】  この発明は、包帯・ストッキングなどの拘束圧や、寝具・椅子など体圧を計測する装置に関するもので、簡便で明確に計測ができ、センサを測定部位に取り付け後、脱着せずに連続変化を計測できる計測方法である。
【背景技術】
【０００２】  従来、生活用品のストッキングや、医療分野での、特定の病症の治療やケアを弾性包帯や弾性ストッキングを着用するが、それら製品には拘束圧を提示されている。しかし、実際の生体への拘束圧ではなく平面状での引っ張り力で計る試験装置による数値が殆どである。体型の違いで拘束力も異なることは明らかだが、それらの違いまで提示していない。また、それら用具を治療で使用する医師などは、病症で変形・肥大した下肢に対し計測するなどは行うことは殆どなく、それは臨床現場で簡便に計測できる機器が無い為で、感覚に頼った治療技術、医療教育であった。しかし、研究用計測器としては存在しているが、非伸縮性の柔軟袋に空気を扁平状に封じ込めてチューブに導き、電子計器の圧力センサにて計測する方法が研究機関などで利用されているが、使用する際に技術を要し高額であった。また、電子計器で簡易型としても存在するが、受圧部が円形でないため受圧部の向きにより値が変わり一回きりの瞬間圧でのタイミングでは値の違いが出た。拘束圧・体圧は姿勢変化とともに部位の硬さや曲率変化にて値も変わる。したがって、数値で瞬間計測するにもその前後の状況を観て計測値を読み取る必要がある。
【発明が解決しようとする課題】
【０００３】  したがって、製品・用具の締め付けや体圧の変化を連続計測ができ、再現性が良く、正確で簡単な操作であることが望ましい。そのような計測器によって、用具に圧迫の強度や使用者に選択肢のデータとして提示したり、販売指導員・医師・看護師が確認する知る手段を要する計測装置が求められている。
【課題を解決するための手段】
【０００４】  この発明は、柔らかい面の接触圧を非伸縮性で柔軟な素材からなる袋に、僅かの空気を扁平状に封入し、その袋を体と繊維の接触間に位置させ受圧する。その受圧した袋内の空気を、細く柔軟で潰れないチューブで接触外部の水中まで導き、水中内に空気を押し沈んだ分の水深寸法で圧力を計測する。
【作用】
【０００５】  本発明の全体構成図を図１に示す。袋１を主とした受圧部、目盛板４を主とした計測部、水１０を入れた透明容器６の３点で構成されている。受圧部は、図５に断面図で示す伸縮性が少なく柔軟なフィルムからなる袋１に、計測する圧力に対し潰れないチューブ２を接続し、袋１の計測部位へ貼着と保護としてカバーフィルム９を添え備える。図１に於いて、計測部は図６に示す目盛板４に水深を計測する為の目盛を刻み、目盛板４に添え着けた透明中空管５の面に、重なるように軸方向に線を入れ、透明中空管５の端に接続部３を備える。図１、図７に於いて、水１０を入れた透明容器６は深さがあり台７を備え、水１０の量は計測部を入れてもあふれない位置に印８を付ける。その印８まで水１０を入れる。計測時は、図２に示す受圧部のチューブ２を計測部の接続部３に接続し一連にする。次に、袋１を完全に潰し内部の空気を排除してから、図１３に示す計測部の目盛板４を、水１０を入れた透明容器６に挿入する。挿入と同時に透明中空管５内に水１０が入り、容積分の空気が袋１に押し込まれる。すると透明中空管５内の水面Ｋは、透明容器６の水面Ａと同じ位置になる。計測は図１４に於いて、袋１を生体１４とストッキング１３の接触間に置き、加圧すると透明中空管５内の水面Ｋは、水面Ａの下に押し下げられ水深Ｊを計測することで接触圧を計測できる。
【実施例】
【０００６】  この発明の実施例として、図３に於いて、受圧部と計測部を一体化して、チューブ２と計測部の透明中空管５を直結し一連にしても計測は可能である。図１、図３において、受圧部の袋１にカバーフィルム９を備えることで、図４、図１４に示すように生体１４に袋１を着ける際、袋１が生体側になるように着け、カバーフィルム９で覆い部位へ取り付けることで、ストッキング１３の着脱の際の摩擦による剥がれ位置ズレや、せん断力による袋１破壊を防ぐことができる。図８に於いて、目盛板４は、図１４に示す計測部の目盛板４の目盛が加圧により透明中空間５内の水面Ｋが押し下げられ、僅かながら周囲の水面Ａが上昇する。その変動分のところを基準に水深の目盛りを刻んでおく事で計測精度をあげる。例えば、低圧時の水面線Ｂであると、それを基準にして低圧時の水深計測Ｅの目盛を刻み、中圧時の水面線Ｃでは、そこから水深計測Ｆの目盛を刻み、高圧時の水面線Ｄでは、そこから水深計測Ｇの目盛を刻む。それらの目盛は、水深１０２ｍｍ相当を１０ｈＰａとして圧力単位で目盛を刻む。また、図９に示すように、目盛板４の目盛が透明中空管５を挟んで隣接位置や、目盛板４を透明にしてその裏面など複数の圧力単位を刻む。圧力単位ＰａはＳＩ化により法令で定めているが、例外として使用されている医療分野のｍｍＨｇなどの単位でも、直読でき計測値の換算間違いなどが防げる。図１０、図１２に於いて、計測部の目盛板４の透明中空管５内の水１０に押し込まれた空気は、水１０が外気より低い温度の時、空気が収縮し空気容量が少なくなり高い圧力が計測不能になるが、目盛板４の透明中空管５の先端部を透明中空管５より、内径が太く容積が大きい透明中空間１１にすることで、目盛板４を水中に入れた際の袋１に送られる空気量を多くでき、外気と水１０の温度差の影響が少なくできる。図１１、図１２に於いて、細い透明中空管５の為、水と空気層が分かれ気泡ができ易くなる。また、毛細管現象にて水１０が、透明中空管５を伝いチューブ２へ上昇してチューブ内が塞がることもある。それらを防ぐ為、透明中空管５の中間または端に中空部１２を設ける。その容積の大きさは毛細管現象が起こらない程度にする。その中空部１２内に上がってきた気泡を消し、毛細管現象で上がってきた水を止めることができる。
【発明の効果】
【０００７】    本発明は、受圧部と計測部を接続後、袋１の空気を手のひらなどで潰して排出し、目盛板４先端から水１０を入れた透明容器６に挿入することで、透明中空管５内に水１０が入り、その分の空気を袋１側へ送り込むことで、定量の空気封入を行い計測できる準備状態となる。その空気量はほんの僅かで袋１は薄く扁平状態となる。その受圧部を生体に取り付け後、衣服着用や体圧で袋１を加圧すると透明中空管５内の水面Ｋが押し下げられる。その止まった位置を目盛板４の目盛で読み計測を行う。この際、目盛板４に添え着けた透明中空管５に重なる位置の軸方向に線を引くことで、透明中空管５内に入ってきた水１０のレンズ効果で、目盛板４の縦線の位置が拡大して目盛が読み易くなる。また、計測部と接続せずに受圧部のみを生体に着け包帯などを巻いてから、計測部と接続し水１０の入った透明容器６に入れ計測した後に、一旦、計測部と受圧部を切り離し、受圧部を包帯で巻いたまま運動など行い、再度、計測部の接続部３と接続し、水１０の入った透明容器６に計測部を挿入しても計測でき、運動前、運動後の計測値の差で包帯の緩みなども計測できる。この場合は、空気の排出操作は不要になる。以上のように、この計測方法は明確な水深圧で読み取る簡便な計測方法である。
【図面の簡単な説明】
【図１】  本発明の構成外観図
【図２】  本発明の接続し計測準備状態の外観図
【図３】  本発明の受圧部と計測部が直結した実施例の外観図
【図４】  本発明の計測実施状態の外観図
【図５】  本発明の受圧部の断面図
【図６】  本発明の計測部の断面図
【図７】  本発明の透明容器の断面図
【図８】  本発明の計測部目盛の刻み方の実施例の正面図
【図９】  本発明の計測部目盛の２単位の刻み方の実施例の正面図
【図１０】  本発明の計測部の中空管の端を太くした実施例の正面図
【図１１】  本発明の計測部に中空部を備えた実施例の正面図
【図１２】  本発明の計測部に中空部を備えた実施例の側面断面図
【図１３】  本発明の計測準備状態の断面図
【図１４】  本発明の計測実施状態の断面図
【符号の説明】
１は袋
２はチューブ
３は接続部
４は目盛板
５は透明中空管
６は透明容器
７は台
８は印
９はカバーフィルム
１０は水
１１は太いチューブ
１２は中空部
１３はストッキング
１４は生体
Ａは水面
Ｂは低圧時の水面線
Ｃは中圧時の水面線
Ｄは高圧時の水面線
Ｅは低圧時の水深計測
Ｆは中圧時の水深計測
Ｇは高圧時の水深計測
ＨはｈＰａ単位
ＩはｍｍＨｇ単位
Ｊは押し下げられた水深
Ｋは透明中空管５内の水面
【図１】
2007248441.tif 000003
【図２】
2007248441.tif 000004
【図３】
2007248441.tif 000005
【図４】
2007248441.tif 000006
【図５】
2007248441.tif 000007
【図６】
2007248441.tif 000008
【図７】
2007248441.tif 000009
【図８】
2007248441.tif 000010
【図９】
2007248441.tif 000011
【図１０】
2007248441.tif 000012
【図１１】
2007248441.tif 000013
【図１２】
2007248441.tif 000014
【図１３】
2007248441.tif 000015
【図１４】
2007248441.tif 000016